(57)【特許請求の範囲】
【請求項１】
起動信号を受けると水使用量と固有のＩＤ番号を電文形式で送出する通信機能を備えた電子式水道メータと、該電子式水道メータと伝送線を介して接続され、起動信号を送出してメータの検針情報を受信して表示する電子式集合用受信器との組合せを複数組備え、これらの集合用受信器を集中検針盤に集合配置した水道メータ用集中検針システムであって、
伝送線で接続された電子式水道メータのＩＤ番号を呼び出すために、起動信号を送出するリードスイッチと、この起動信号に応答して電子式水道メータが送信してきた応答電文から電子式水道メータのＩＤ番号を識別すると共に、識別したＩＤ番号を一定時間表示手段に表示するマイコンと、通常は水使用量を表示し前記一定時間の間は前記ＩＤ番号を表示する液晶表示器を有する集合用受信器とを具備し、
電子式メータと集中検針盤を設置の際、電子式集合用受信器から電子式水道メータのＩＤ番号を呼び出して集合用受信器に表示することを特徴とする水道メータ用集中検針システム。
【請求項２】
請求項１記載の水道メータ用集中検針システムに使用する集合用受信器であって、
液晶表示器を搭載した電子回路基板に前記リードスイッチを搭載したことを特徴とする集合用受信器。
【発明の詳細な説明】
【０００１】
【発明の属する技術分野】
本発明は集合住宅等に用いる水道メータ用集中検針システムとこのシステムに使用する集合用受信器に関する。
【０００２】
【従来の技術】
集合住宅の各住戸に発信器付水道メータを設置し、これらの水道メータでそれぞれ計量した各住戸の水使用量を集中検針盤に集合配置した各住戸毎の遠隔式集合用受信器に表示する水道メータ用集中検針システムが公知である。
【０００３】
発信器付水道メータは、水道メータの歯輪列に設けた回転磁石により単位流量毎に作動する発信スイッチ付の発信器がメータの上部に取り付けてある。
【０００４】
各水道メータの発信器は伝送線を介して集中検針盤の対応する受信器に接続されている。発信器の発信スイッチが作動すると、受信器のパルスモータが回転して歯車を介して表示用の数字車を歩進させる。受信器の数字車は対応する住戸の水道メータで計量した流量の積算値を表示する。
【０００５】
【発明が解決しようとする課題】
前記従来の集中検針システムでは、集合用受信器設置の際に隣り合う住戸（又は室）の伝送線が間違って入れ替わって接続されて誤表示されることがあった。接続の間違いや伝送線の断線等が無いことを確認するためには、対応する住戸の水道メータの発信器をメータから一時的に取り外し、テスト用のマグネット（永久磁石）で発信器の発信スイッチを作動させてテストパルスを送出し、伝送線で接続された所定の受信器を作動させ、この受信器で間違いないかどうかとか伝送線の断線や短絡がないか等を作業者が確認していた。
【０００６】
そのため、この確認作業が面倒で手間がかかるという問題点があった。
【０００７】
そこで、本発明はかかる問題点を解消できる水道メータ用集中検針システムとこのシステムに使用する集合用受信器を提供することを目的とする。
【０００８】
【課題を解決するための手段】
前記目的を達成するために、請求項１の発明は、起動信号を受けると水使用量と固有のＩＤ番号を電文形式で送出する通信機能を備えた電子式水道メータと、該電子式水道メータと伝送線を介して接続され、起動信号を送出してメータの検針情報を受信して表示する電子式集合用受信器との組合せを複数組備え、これらの集合用受信器を集中検針盤に集合配置した水道メータ用集中検針システムであって、
伝送線で接続された電子式水道メータのＩＤ番号を呼び出すために、起動信号を送出するリードスイッチと、この起動信号に応答して電子式水道メータが送信してきた応答電文から電子式水道メータのＩＤ番号を識別すると共に、識別したＩＤ番号を一定時間表示手段に表示するマイコンと、通常は水使用量を表示し前記一定時間の間は前記ＩＤ番号を表示する液晶表示器を有する集合用受信器とを具備し、
電子式メータと集中検針盤を設置の際、電子式集合用受信器から電子式水道メータのＩＤ番号を呼び出して集合用受信器に表示することを特徴とする水道メータ用集中検針システムである。
【００１０】
電子式水道メータのＩＤ番号を呼び出すために起動信号を送出すると、この起動信号に応答して水道メータが応答電文を送信する。受信器の識別手段がこの応答電文から水道メータのＩＤ番号を識別する。そして、表示手段がＩＤ番号を表示する。
【００１２】
リードスイッチを作動させると起動信号が送出される。この起動信号に応答して電子式水道メータから応答電文が送出される。受信器のマイコンが応答電文中のＩＤ番号を識別して一定時間の間液晶表示器にＩＤ番号を表示する。一定時間経過後は水使用量を表示する。
【００１３】
そして、請求項２の発明は、請求項１記載の水道メータ用集中検針システムに使用する集合用受信器であって、
液晶表示器を搭載した電子回路基板に前記リードスイッチを搭載したことを特徴とする集合用受信器である。
【００１４】
受信器の正面、液晶表示器にマグネット（永久磁石）を近づけると、リードスイッチが作動して、接続されている電子式水道メータのＩＤ番号が一定時間液晶表示器に表示される。
【００１５】
【発明の実施の形態】
次に本発明の好ましい実施の形態を図面の実施例に従って説明する。
【００１６】
図１（ａ）の集合検針盤１には１０個の電子式集合用受信器（以下、単に受信器という）２〜１１が集合配置され、同図（ｂ）の建屋１２の各住戸１０１，１０２，２０１，…，４０２，５０１及び５０２に設置された各電子式水道メータ２Ｍ〜１１Ｍとそれぞれ２芯のケーブルで接続されている。
【００１７】
各受信器２〜１１は同じ構成であるので、代表的に受信器２について、同図（ｃ）に従ってその構成を説明する。
【００１８】
受信器２は、対応する電子式水道メータ２Ｍに毎日一定時間毎に起動信号を送出して、電子式水道メータ２Ｍからの検針情報を受信し、液晶表示器２ａに表示されている水使用量（積算流量）を更新表示する演算制御用のマイコン２ｂを備え、通信インターフェイス２ｃと伝送線２Ａを介して電子式水道メータ２Ｍと通信を行う。
【００１９】
リードスイッチ２ｄはこのスイッチを操作することでマイコン２ｂが通信インターフェイス２ｃを介して電子式水道メータ２Ｍに起動信号を送出し、電子式水道メータ２Ｍからの応答電文中のＩＤ番号を識別して、液晶表示器２ａに一定時間（例えば３０秒間）の間そのＩＤ番号を表示する機能を有する。
【００２０】
マイコン２ｂにはこれらのＩＤ番号の下４桁の表示の他に、接続起動時に接続相手の電子式水道メータに合わせて自己設定したり、１日１回電子メータの積算値（水使用量）を読み取って更新表示したりするソフトが組み込まれている。
【００２１】
なお、水道メータのＩＤ番号は、予めメータメーカーで、出荷前に電子式水道メータのメモリ部へパソコンで打ち込んで記憶させて設定する。ＩＤ番号は、水道メータの製造番号と対応させて、例えば、製造番号が９桁の数字「１２３４５６７８９」の場合、製造番号の前に５桁分の０を付けて１４桁の「０００００１２３４５６７８９」としている。
【００２２】
リチウム電池２ｅはマイコン２ｂなどの各回路へ電力を供給する。電圧検出回路２ｆはリチウム電池２ｅの電圧を検出し、マイコン２ｂが液晶表示器２ａに電池電圧の低下警報等を表示する。通信インターフェイス２ｃは、必要に応じて接続される設定器１３とマイコン２ｂの間にあって作用する。
【００２３】
受信器２は、図２（ａ）（ｂ）（ｃ）と図３に示すように、Ｌ字形に連結した２枚のプリント配線基板を有する電子回路部１４の一方の基板１５に液晶表示器２ａが搭載され、ケース１６の窓から表示を見られるようにしてある。１７は他方の基板である。
【００２４】
基板１５の前面には、基板１５と液晶表示器２ａの間にリードスイッチ２ｄが配設され、そのリードが基板１５にハンダ付けされている。リチウム電池２ｅは基板１７の上面に取り付けられている。
【００２５】
ケース１６の後面に取り付けた端子ボルト１８，１９には、基板１７に各一端を接続した２本のリード線の各他端が、ケースの内部でそれぞれ接続され、前記伝送線２Ａの芯線がケースの外部で端子ボルト１８と１９に接続される。
【００２６】
液晶表示器２ａは、図２（ａ）に示すように、１０ｍ3 以上の６桁表示の流量（水使用量）表示部２０と、この表示部より数字が小さい４桁の表示部２１と、４桁の瞬間流量表示部２２と電池電圧表示部２３等を有している。表示部２１は通常は流量（水使用量）のｍ3 以下の数字を表示するが、受信器２の手前から液晶表示器２ａの６桁の流量表示部２０の最下位の桁の数字の前面に、図示されていない棒状のマグネット（永久磁石）の一端を近づけてリードスイッチ２ｄを作動させると、前記マイコン２ｂが電子式水道メータ２Ｍへ起動信号を送出する。
【００２７】
すると電子式水道メータ２Ｍから応答電文が送られ、この電文のメータＩＤ番号をマイコン２ｂが識別して、３０秒間４桁の表示部２１にＩＤ番号の下４桁を表示する。
【００２８】
電子式水道メータ２ＭのＩＤ番号が１０進１４桁の“０００００００００００００１”であるとすると、表示部２１に表示されるのは、その下４桁の“０００１”が一定時間（３０秒間）表示される。一定時間経過すると表示部２１は流量表示に戻る。なお、ＩＤ番号の表示に用いるには、数字の寸法が大きい流量表示部２０を用いるようにしてもよい。ＩＤ番号を１４桁にすることは決められている約束事である。
【００２９】
【発明の効果】
本発明の集中検針システムは上述のように構成されているので、水道メータや検針盤を設置したときに、集合用受信器から水道メータのＩＤ番号を呼び出して受信器に表示することで、接続されている水道メータのＩＤ番号を確認し、伝送線が間違って接続されていないかとか、伝送線の断線・短絡の有無等を簡単にチェックできる。
【００３１】
また、集合用受信器は、ＩＤ番号を表示するのに通常は流量を表示している液晶表示器を活用するので、表示器の数字の寸法を大きいままにしておける利点がある。
【００３２】
更に又、請求項２の集合用受信器では、ＩＤ番号の読み取り操作が永久磁石（マグネット）を近づけるだけで容易にでき、しかもそのための構造が簡単でコスト面にも効果がある。しかも操作用の永久磁石を近づける位置が液晶表示器のところであるため、操作を間違えることがないという利点もある。
【図面の簡単な説明】
【図１】（ａ）は集中検針盤の正面略図、（ｂ）は集合住宅における建屋の各住戸と水道メータの配置例を示す図、（ｃ）は本発明の集合用受信器のブロック図で、併せて水道メータとの伝送線による接続状態をも示す。
【図２】本発明の集合用受信器で、（ａ）は正面図（前面図）、（ｂ）はケースの上面板を切開した状態での平面図、（ｃ）はケースの右側板を一部破断した状態での右側面図である。
【図３】図２の集合用受信器の後面図である。
【符号の説明】
１          集中検針盤
２〜１１    集合用受信器
２ａ        液晶表示器
２ｂ        マイコン
２ｄ        リードスイッチ
２ｅ        リチウム電池
２Ｍ〜１１Ｍ    電子式水道メータ
１４        電子回路部
１５，１７  プリント配線基板
２０，２１  液晶表示部２ａの流量表示部
【図１】
0004450481.tif 000002
【図２】
0004450481.tif 000003
【図３】
0004450481.tif 000004